(57)【要約】【課題】第１側壁と、第１側壁と解除可能に連結される第２側壁によって構成される側壁を有する容器に関し、不測の外力に対しても係合状態を有効に維持可能であり、連結部分への不測の負荷を軽減し得る容器を提供する。【解決手段】収納容器１は、複数枚の側壁部材１０と、底部側壁４２を有する底部４０とにより構成される。側壁部材１０の下端面１２には、第１係合部２０を有している。第１係合部２０は、弾性変形可能に形成された係合片２１を有している。係合片２１は、その下端部に係合爪２２と張出係合部２３を有している。底部側壁４２の上端面４４には、第２係合部５０を有している。第２係合部５０は、係合孔５１と、板状部５５と、係合突起５６と、開口部５８とを有している。開口部５８は、第１係合部２０を係合孔５１に挿通させた場合に係合爪２２と係合する。係合突起５６は、板状部５５の一面に突出形成されており、張出係合部２３と係合する。【選択図】図３
2015003738.tif 000002
【特許請求の範囲】
【請求項１】
第１側壁と、前記第１側壁の端面に対して端面を対向させた状態で解除可能に連結される第２側壁と、によって構成される側壁を有する容器であって、
前記第１側壁は、
前記第１側壁の端面から当該第１側壁の壁面に沿って延び、弾性変形可能に形成された係合片と、
前記係合片の先端部分であり、且つ、前記第１側壁の壁面に平行な面に、当該第１側壁の壁面に鉛直な第１方向に突出形成された係合爪と、
前記第１方向に鉛直な第２方向へ、前記係合片の先端部分から張り出すように形成された張出係合部と、を有し、
前記第２側壁は、
前記第２側壁の端面に形成され、前記第１側壁の係合片によって挿通される係合孔と、
前記係合孔の内壁面の内、前記係合片によって前記係合孔を挿通した場合に前記係合爪と対向する対向面において、当該係合爪と対向する部分を開口した開口部と、
前記対向面から前記係合孔の内側方向に突出形成され、前記係合片の張出係合部と係合する係合突起と、を有する
ことを特徴とする容器。
【請求項２】
請求項１記載の容器であって、
前記第２側壁は、
前記係合孔の対向面となる一面を有し、前記係合孔を構成する板状部と、
前記板状部において、前記対向面となる一面の裏面側に突出形成された補強リブと、を有する
ことを特徴とする容器。
【請求項３】
請求項１又は請求項２記載の容器であって、
前記係合片は、
前記係合爪が形成された面の裏面側に突出形成され、前記第１側壁の端面から前記係合片の先端に向かって延びる補助リブを有し、
前記係合爪が形成された面であって、前記第１側壁の端面から前記係合爪までの範囲は、平面状に形成されている
ことを特徴とする容器。
【発明の詳細な説明】
【技術分野】
【０００１】
本発明は、第１側壁と、前記第１側壁の端面に対して端面を対向させた状態で解除可能に連結される第２側壁によって構成される側壁を有する容器に関する。
【背景技術】
【０００２】
従来、容器として、当該容器の側壁に対して、更に別の側壁を連結することにより、側壁の高さを所望の高さに調整可能な容器が知られている。このような容器に関する発明の一つとして、例えば、特許文献１記載の発明が知られている。
【０００３】
特許文献１記載の容器は、図１３に示すように、下方の容器の側壁を構成する第１の側壁ＷＡと、略板状に形成された第２の側壁ＷＢとを解除可能に連結して構成されている。当該第１の側壁ＷＡは、上端面から側壁面に沿って開口された係合孔Ｈと、係合孔Ｈの内壁面から突出形成された断面三角形状の係合突起ＰＲとを有している。そして、第２の側壁ＷＢは、その下端面から側壁面の延長方向に突出し、係合孔Ｈへの係合・解除の際に弾性変形する略Ｔ字状の係合片ＰＩを有している。係合片ＰＩは、両側に張り出した張出部Ｏを端部側に有している。
【先行技術文献】
【特許文献】
【０００４】
【特許文献１】特開２０１３−０４３６９０号公報
【発明の概要】
【発明が解決しようとする課題】
【０００５】
ここで、特許文献１記載の容器は、係合片ＰＩにおける張出部Ｏと、係合突起ＰＲとが係合することによって、第１の側壁ＷＡと第２の側壁ＷＢとを解除可能に連結している（図１３参照）。これにより、特許文献１記載の容器では、容器の落下に伴う衝撃によって側壁が捻られ、第１の側壁ＷＡと第２の側壁ＷＢが互いに引き離される方向に力Ｆが加わったとしても、係合片ＰＩが係合を解除する方向に弾性変形し難く、外力に対しても係合状態を維持することができる。
【０００６】
この点、第１の側壁ＷＡと、第２の側壁ＷＢが互いに引き離される方向に、より大きな力Ｆを加えた場合、係合孔Ｈ内部の係合突起ＰＲは、係合片ＰＩにおける張出部Ｏを介して押し上げられる（図１３参照）。この時、力Ｆは、張出部Ｏを介して係合突起ＰＲの先端に作用し、トルクＴを発生させる為、当該係合突起ＰＲが形成されている板状部ＰＬの根元に、応力の集中する応力集中部Ｓが生じる。又、応力集中部Ｓの発生に伴い、係合片ＰＩの付け根に応力が集中することにもなる。この結果、係合突起ＰＲが形成されている板状部ＰＬにおける応力集中部Ｓや、係合片ＰＩの付け根等の劣化、破損を招き、第１の側壁ＷＡと、第２の側壁ＷＢとの連結に支障が出てしまう虞がある。
【０００７】
本発明は、第１側壁と、前記第１側壁の端面に対して端面を対向させた状態で解除可能に連結される第２側壁によって構成される側壁を有する容器に関し、不測の外力に対しても係合状態を有効に維持可能であり、連結部分への不測の負荷を軽減し得る容器を提供する。
【課題を解決するための手段】
【０００８】
請求項１に係る容器は、第１側壁と、前記第１側壁の端面に対して端面を対向させた状態で解除可能に連結される第２側壁と、によって構成される側壁を有する容器であって、前記第１側壁は、前記第１側壁の端面から当該第１側壁の壁面に沿って延び、弾性変形可能に形成された係合片と、前記係合片の先端部分であり、且つ、前記第１側壁の壁面に平行な面に、当該第１側壁の壁面に鉛直な第１方向に突出形成された係合爪と、前記第１方向に鉛直な第２方向へ、前記係合片の先端部分から張り出すように形成された張出係合部と、を有し、前記第２側壁は、前記第２側壁の端面に形成され、前記第１側壁の係合片によって挿通される係合孔と、前記係合孔の内壁面の内、前記係合片によって前記係合孔を挿通した場合に前記係合爪と対向する対向面において、当該係合爪と対向する部分を開口した開口部と、前記対向面から前記係合孔の内側方向に突出形成され、前記係合片の張出係合部と係合する係合突起と、を有することを特徴とする。
【０００９】
そして、請求項２に係る容器は、請求項１記載の容器であって、前記第２側壁は、前記係合孔の対向面となる一面を有し、前記係合孔を構成する板状部と、前記板状部において、前記対向面となる一面の裏面側に突出形成された補強リブと、を有することを特徴とする。
【００１０】
又、請求項３に係る容器は、請求項１又は請求項２記載の容器であって、前記係合片は、前記係合爪が形成された面の裏面側に突出形成され、前記第１側壁の端面から前記係合片の先端に向かって延びる補助リブを有し、前記係合爪が形成された面であって、前記第１側壁の端面から前記係合爪までの範囲は、平面状に形成されていることを特徴とする。
【発明の効果】
【００１１】
請求項１に係る容器は、第１側壁と第２側壁によって構成される側壁を有する容器であって、第２側壁は、第１側壁の端面に対して端面を対向させた状態で解除可能に連結される。第１側壁は、第１側壁の端面に形成された係合片を有している。係合片は、第１側壁の端面から当該第１側壁の壁面に沿って延び、弾性変形可能に形成されている。係合片の先端部分であり、且つ、第１側壁の壁面に平行な面には、係合爪が、当該第１側壁の壁面に鉛直な第１方向に突出形成されている。又、係合片の先端部分には、張出係合部が、前記第１方向に鉛直な第２方向へ、前記係合片の先端部分から張り出すように形成されている。第２側壁は、係合孔と、開口部と、係合突起とを有している。係合孔は、第２側壁の端面に形成され、前記第１側壁の係合片によって挿通される。開口部は、前記係合孔の内壁面の内、前記係合片によって前記係合孔を挿通した場合に前記係合爪と対向する対向面において、当該係合爪と対向する部分に開口されている。係合突起は、対向面から前記係合孔の内側方向に突出形成され、前記係合片の張出係合部と係合する。当該容器によれば、第１側壁の係合片を、第２側壁の係合孔に挿通することによって、係合片の張出係合部と係合孔の係合突起を係合させると同時に、係合片の係合爪と係合孔の開口部開口縁とを係合させることができる。これにより、当該容器は、第１側壁と第２側壁を互いに引き離すように力を加えた場合であっても、係合片の付け根や、係合孔の対向面等に働く応力を分散することができ、係合片や係合孔の破損や白化を防止し得る。
【００１２】
請求項２に係る容器において、第２側壁の板状部は、係合孔の対向面となる一面を有し、前記係合孔を構成する。そして、当該板状部には、補強リブが、対向面となる一面の裏面側に突出形成されている。従って、当該補強リブによって板状部の剛性を高めることができるので、当該容器は、第１側壁と第２側壁を互いに引き離すように力を加えた場合であっても、係合孔の対向面（即ち、板状部）に働く応力を分散することができ、係合片や係合孔の破損や白化を防止し得る。
【００１３】
請求項３に係る容器において、前記係合片は、補助リブを有している。補助リブは、係合爪が形成された面の裏面側に突出形成され、第１側壁の端面から前記係合片の先端に向かって延びている。更に、係合片における係合爪が形成された面であって、前記第１側壁の端面から前記係合爪までの範囲は、平面状に形成されている。これにより、当該容器は、第１側壁と第２側壁を互いに引き離すように力を加えた場合であっても、係合片の付け根に働く応力を分散することができ、係合片の破損や白化を防止し得る。
【図面の簡単な説明】
【００１４】
【図１】本実施形態に係る収納容器の外観斜視図である。
【図２】本実施形態に係る収納容器の分解斜視図である。
【図３】第１係合部、第２係合部近傍の拡大斜視図（１）である。
【図４】第１係合部、第２係合部近傍の拡大斜視図（２）である。
【図５】第１係合部に係る係合片、保護枠の構成を示す拡大斜視図（１）である。
【図６】第１係合部に係る係合片、保護枠の構成を示す拡大斜視図（２）である。
【図７】第２係合部の構成を示す拡大斜視図である。
【図８】第２係合部に係る係合孔の内部構成を示す説明図である。
【図９】第１係合部と第２係合部が係合している状態を示す拡大斜視図である。
【図１０】図９におけるＩＩ−ＩＩ断面を示す断面図である。
【図１１】図９におけるＩＩＩ−ＩＩＩ断面を示す断面図である。
【図１２】短手側壁部材及び長手側壁部材を収容可能に構成した収容容器の上面図である。
【図１３】従来の収納容器における問題点を示す説明図である。
【発明を実施するための形態】
【００１５】
以下、本発明に係る容器を、収納容器１に適用した実施形態に基づいて、図面を参照しつつ詳細に説明する。
【００１６】
先ず、本実施形態に係る収納容器１の構成について、図面を参照しつつ説明する。収納容器１は、工業生産物や当該生産物の組立ての際に必要とされる種々の部品、或いは農産物や漁獲物など、様々な産業活動における生産物、物流活動における物品などを収納し、集荷用、或いは出荷・搬入等の搬送用として使用される。又、収納容器１は、近年の軽量化の要請により、例えば、合成樹脂によって成型されている。
【００１７】
図１、図２に示すように、本実施形態に係る収納容器１は、複数枚の側壁部材１０と、底部４０とにより、略直方体を為し、上方が開放された箱型に構成される。具体的には、収納容器１は、略直方体の箱状に形成された底部４０の底部側壁４２に対して、板状に形成された側壁部材１０を連結することにより構成される。
【００１８】
側壁部材１０は、板状に形成された部材であり、収納容器１の側壁における上側部分を構成する上部側壁面１１を有している。側壁部材１０の上部側壁面１１には、所定幅の壁面リブ１３が、所定の間隔で縦横に立設されており、側壁部材１０の剛性を高めている。又、補強加工部１４は、特定の壁面リブ１３の端部から上部側壁面１１に向かって延びる傾斜面を形成することにより、側壁部材１０の剛性をさらに高めている。
【００１９】
側壁部材１０の下端面１２には、第１係合部２０と、嵌合凸部３０とが、上部側壁面１１の延長方向に突出形成されている。第１係合部２０は、後述する底部側壁４２の上端面４４に形成された第２係合部５０と係合することにより、底部４０の底部側壁４２に対して、側壁部材１０を連結する。第１係合部２０は、底部側壁４２の上端面４４に所定間隔で形成された第２係合部５０と夫々対応する位置に設けられている。第１係合部２０の構成については、後に詳細に説明する。
【００２０】
嵌合凸部３０は、側壁部材１０の下端面１２において、略三角柱状に突出形成されており、底部側壁４２の上端面４４に形成された嵌合凹部６０に嵌合する。嵌合凸部３０は、補強加工部１４の延長線上に形成されており、側壁部材１０を底部側壁４２に連結した場合に、収納容器１の側壁全体の剛性を高める。
【００２１】
又、図１、図２に示すように、側壁部材１０は、長手側壁部材１０Ａと、短手側壁部材１０Ｂを含んでいる。長手側壁部材１０Ａは、直方体状を為す底部４０の長辺を構成する底部側壁４２に対して連結され、その両端に角部１１Ａを有している。角部１１Ａは、水平方向における収納容器１の角を構成する部分であり、収納容器１における短手側の側壁の一部を有している。短手側壁部材１０Ｂは、直方体状を為す底部４０の短辺を構成する底部側壁４２に対して連結され、その両端に接合片１１Ｂを有している。接合片１１Ｂは、短手側壁部材１０Ｂの端面に形成されており、当該短手側壁部材１０Ｂの端面と、長手側壁部材１０Ａの角部１１Ａとを接合する。
【００２２】
そして、底部４０は、底板４１と、底部側壁４２により構成され、合成樹脂により底板４１と底部側壁４２が一体に形成されている。底部４０は、略直方体を為し、上方が開放された箱型に構成される。底板４１は、長方形の板状に形成され、収納容器１及び底部４０の底板を構成する。
【００２３】
底部側壁４２は、底板４１の四辺において、底板４１に対して鉛直に立設されており、収納容器１の側壁における下側部分を構成する下部側壁面４３を有している。底部側壁４２の下部側壁面４３には、所定幅の側面リブ５２が所定の間隔で立設されており、底部側壁４２の剛性を高めている。
【００２４】
底部側壁４２の上端面４４には、第２係合部５０と、嵌合凹部６０とが、下部側壁面４３に沿って延びる凹部として形成されている。第２係合部５０は、上述した側壁部材１０の下端面１２に形成された第１係合部２０と係合することにより、側壁部材１０を連結する。第２係合部５０は、側壁部材１０（長手側壁部材１０Ａ、短手側壁部材１０Ｂ）の下端面１２に所定間隔で形成された第１係合部２０と対応する位置に形成されている。第２係合部５０の構成については、後に詳細に説明する。
【００２５】
嵌合凹部６０は、底部側壁４２の上端面４４において、側壁部材１０の下端面１２に形成された嵌合凸部３０に対応する位置に形成されている。当該嵌合凹部６０は、側壁部材１０の下端面１２に突出形成された略三角柱状の嵌合凸部３０が嵌合可能な大きさに形成されている。嵌合凹部６０は、側壁部材１０を底部側壁４２に連結した場合に、側壁部材１０の補強加工部１４、嵌合凸部３０と協働して、収納容器１の側壁全体の剛性を高める。
【００２６】
次に、側壁部材１０の下端面１２に形成された第１係合部２０の構成について、図３〜図６を参照しつつ詳細に説明する。第１係合部２０は、上述したように、側壁部材１０の下端面１２から突出し、第２係合部５０を構成する係合孔５１に収まる幅で形成される。第１係合部２０は、係合片２１と、保護枠２５とを有している。
【００２７】
係合片２１は、側壁部材１０の下端面１２であって、第１係合部２０の中央部分から突出形成されており、略逆Ｔ字状の弾性係止片である。図３〜図６に示すように、係合片２１は、係合爪２２と、張出係合部２３と、補助リブ２４を有している。係合爪２２は、係合片２１の下端部において、収納容器１の外側方向に向かって突出形成された爪状の部分であり、後述するように、第２係合部５０の開口部５８上端と係合する。
【００２８】
張出係合部２３は、係合片２１の下端部において、側壁部材１０の上部側壁面１１に沿った両側に張り出すように形成されており、後述する第２係合部５０の係合突起５６と係合する。図３〜図６に示すように、係合片２１は、下端部の両側に張出係合部２３を有することにより、略逆Ｔ字状を為す。
【００２９】
補助リブ２４は、係合片２１において係合爪２２が形成された面の裏側に突出形成されており、側壁部材１０の下端面１２から係合片２１の下端に向かって延びている。又、係合片２１は、係合爪２２が形成された面であって、側壁部材１０の下端面１２から係合爪２２の形成位置までの範囲を平面状に形成されている。これにより、弾性変形する際に係合片２１に作用する応力の集中を、当該補助リブ２４等によって緩和し得る。
【００３０】
保護枠２５は、第１係合部２０を構成する略逆Ｔ字状の係合片２１を、両側面及び下端で囲むように形成されており、側部保護枠２６と、下端保護枠２７とを有している。一対の側部保護枠２６は、第１係合部２０の両端において、側壁部材１０の下端面１２から下方に突出形成されている。下端保護枠２７は、係合片２１の下端よりも下方において、一対の側部保護枠２６の下端を連結する。尚、保護枠２５は、一対の側部保護枠２６の各々を張出係合部２３の上方で補強する一対の補強部を有している。
【００３１】
続いて、底部側壁４２の上端面４４に形成された第２係合部５０の構成について、図面を参照しつつ詳細に説明する。第２係合部５０は、上述したように、底部側壁４２の上端面４４に形成されており、側壁部材１０の下端面１２に形成された第１係合部２０と係合することで、底部側壁４２に対して側壁部材１０を解除可能に連結する。
【００３２】
第２係合部５０は、底部側壁４２の上端面４４に開口された係合孔５１を有している。当該係合孔５１は、底部側壁４２の下部側壁面４３と、下部側壁面４３に立設された一対の側面リブ５２と、第２係合部５０の下端部を構成する下端リブ５３と、下部側壁面４３と所定間隔を隔てて配設され、第２係合部５０の上側部分を構成する板状部５５と、によって構成され、下部側壁面４３に沿って延びている。上述したように、第２係合部５０の係合孔５１は、上述した第１係合部２０を構成する係合片２１及び保護枠２５により挿通される。
【００３３】
第２係合部５０の下部には、開口部５８が形成されている。開口部５８は、板状部５５の下端から下端リブ５３の間であって、前記係合片２１によって前記係合孔５１を挿通した場合に、当該係合爪２２と対向する部分を開口して形成される。従って、第１係合部２０の係合片２１によって、第２係合部５０の係合孔５１を挿通した場合には、当該開口部５８を介して、係合片２１に形成された係合爪２２は、第２係合部５０の板状部５５下端と係合する（図９〜図１１参照）。
【００３４】
図７、図８に示すように、板状部５５は、第２係合部５０において、下部側壁面４３に対向する面として形成されており、係合突起５６と、補強リブ５７とを有している。係合突起５６は、係合孔５１の内壁面を構成する板状部５５の一面側に形成されており、側面視で略三角形状に形成されている。
【００３５】
具体的には、係合突起５６は、第２係合部５０の下方に向かうに従って係合孔５１内部側に位置する第１傾斜面と、係合突起５６の下端から板状部５５の内壁面に向かうに従って上方に戻る第２傾斜面と、を有しており、張出係合部２３に対応する位置に形成されている（図１０参照）。従って、第１係合部２０の係合片２１によって、第２係合部５０の係合孔５１を挿通した場合には、係合片２１の張出係合部２３は、第２係合部５０の板状部５５に形成された係合突起５６の下面と、夫々係合する。
【００３６】
図７、図９に示すように、補強リブ５７は、板状部５５における係合突起５６が形成された面の裏面側（即ち、収納容器１の外表面側）に突出形成されており、板状部５５を縦横に延びている。当該補強リブ５７は、係合片２１の張出係合部２３と、係合突起５６との係合の際に加わる負荷に対して、係合突起５６が立設されている板状部５５の強度を確保する。
【００３７】
続いて、側壁部材１０の下端面１２に形成された第１係合部２０と、底部側壁４２の上端面４４に形成された第２係合部５０との係合・解除動作について、図面を参照しつつ説明する。
【００３８】
先ず、第１係合部２０と、第２係合部５０の係合動作について説明する。側壁部材１０の第１係合部２０が、底部側壁４２の第２係合部５０に挿入されると、係合片２１における張出係合部２３の下端部が係合突起５６の第１傾斜面に当接する。そして、張出係合部２３は、第１係合部２０の挿入に応じて、その下端部が係合突起５６の第１傾斜面に押圧される。上述したように、張出係合部２３は、係合片２１の下端部に形成されているので、係合片２１は、張出係合部２３が係合突起５６の第１傾斜面から受ける押圧力により、下部側壁面４３側に力を受け、収納容器１の外側が凸となるような弓なりに弾性変形する。
【００３９】
この時、係合片２１が弓なりに弾性変形した場合に圧縮される側の面には、補助リブ２４が形成されている為、当該係合片２１を係合させる際に係る力に対抗し得る。これにより、係合片２１は、係合動作時における応力集中を緩和することができ、係合片２１の破損や白化を防止し得る。
【００４０】
係合片２１の張出係合部２３が、係合孔５１内に形成された係合突起５６の第１傾斜面を越えると、図１０に示すように、係合片２１は弾性復帰し、張出係合部２３は、係合突起５６の第２傾斜面に当接して係合状態となる。又、係合片２１の弾性復帰と同時に、係合片２１に形成された係合爪２２は、第２係合部５０の開口部５８内に進入する。これにより、係合爪２２は、開口部５８の上端縁（即ち、板状部５５の下端）と係合する。
【００４１】
ここで、係合突起５６の第２傾斜面は、板状部５５に向かうに従って上方に戻るように傾斜している。従って、張出係合部２３は、係合突起５６の第２傾斜面に当接している場合、側壁部材１０と底部側壁４２を互いに引き離すように動作させると、板状部５５に向かう方向（即ち、係合状態を維持する方向）に付勢される。
【００４２】
図１０、図１１に示すように、第１係合部２０と、第２係合部５０とが係合している場合、係合片２１の張出係合部２３と、係合孔５１内の係合突起５６とが係合すると共に、係合片２１の係合爪２２と、板状部５５の下端とが係合する。張出係合部２３と係合突起５６の係合と、係合爪２２と板状部５５下端との係合は、収納容器１の内外方向、及び、収納容器１の側壁に沿った方向に異なる位置となる。従って、側壁部材１０と底部側壁４２を互いに引き離すように動作させると、この時に、第１係合部２０の係合片２１と、第２係合部５０に作用する力を分散させることができる。
【００４３】
そして、第１係合部２０と第２係合部５０が互いに係合されている場合、係合片２１と係合突起５６との周囲は、第１係合部２０の保護枠２５によって囲まれている。この時、保護枠２５は、第２係合部５０の係合孔５１の内側面（即ち、下部側壁面４３、側面リブ５２、下端リブ５３及び板状部５５）に当接或いは近接対向している。これにより、側壁部材１０と底部側壁４２との連結状態である場合に受ける外力の少なくとも一部は、第１係合部２０の保護枠２５と、第２係合部５０の係合孔５１における下部側壁面４３によって受け止めることができる。これにより、当該収納容器１によれば、張出係合部２３と係合突起５６に加わる負荷や、係合爪２２と板状部５５下端に加わる負荷を緩和することができ、外力に抗して係合状態を維持し得る。
【００４４】
次に、第１係合部２０と、第２係合部５０の解除動作について説明する。第１係合部２０と、第２係合部５０との係合を解除する際には、先ず、係合片２１の張出係合部２３と、係合孔５１内部の係合突起５６との係合に加え、係合片２１の係合爪２２と、係合孔５１に係る板状部５５下端との係合を解除する必要がある。具体的には、係合片２１に形成された係合爪２２の近傍を、第２係合部５０の開口部５８を介して、底部側壁４２の下部側壁面４３側に向かって押圧することにより行なわれる（図９〜図１１参照）。係合爪２２の近傍を下部側壁面４３側に押圧することにより、係合片２１は、下部側壁面４３側に力を受け、収納容器１の外側が凸となるような弓なりに弾性変形する。これにより、張出係合部２３と係合突起５６との係合、及び、係合爪２２と板状部５５下端との係合を、同時に解除し得る。
【００４５】
そして、張出係合部２３と係合突起５６との係合、及び、係合爪２２と板状部５５下端との係合を解除した状態で、底部４０の下部側壁面４３から、側壁部材１０を引き離すように動かすことで、第１係合部２０と第２係合部５０との係合を解除し、下部側壁面４３から側壁部材１０を取り外すことができる。
【００４６】
以上説明したように、本実施形態に係る収納容器１は、複数枚の側壁部材１０と、底部側壁４２を有する底部４０とにより構成されており、側壁部材１０と底部側壁４２は、解除可能に連結されている。側壁部材１０は、その下端面１２に第１係合部２０を有しており、第１係合部２０は、係合片２１と、保護枠２５により構成される。係合片２１は、下端面１２から下方に突出し弾性変形可能に形成されており、係合爪２２と、張出係合部２３を有している。そして、底部側壁４２は、その上端面４４に第２係合部５０を有しており、第２係合部５０は、係合孔５１と、板状部５５と、係合突起５６と、開口部５８とを有している。係合孔５１は、側壁部材１０の第１係合部２０によって挿通される。開口部５８は、第２係合部５０の下側部分（板状部５５の下側）に形成され、図９〜図１１に示すように、第１係合部２０と係合孔５１に挿通させた場合に、係合片２１の係合爪２２と係合する。係合突起５６は、係合孔５１の内壁面を構成する板状部５５の一面に、係合孔５１の内側に向かって突出形成されており、係合片２１の張出係合部２３と係合する。
【００４７】
当該収納容器１によれば、側壁部材１０の第１係合部２０を、底部側壁４２の第２係合部５０に挿通することによって、係合片２１の張出係合部２３と、係合孔５１内の係合突起５６を係合させると同時に、係合片２１の係合爪２２と、第２係合部５０の開口部５８の上端縁を係合させ得る。これにより、当該収納容器１は、側壁部材１０と底部側壁４２を互いに引き離すように力を加えた場合であっても、係合片２１の付け根や、係合孔５１における板状部５５等に働く応力を分散することができ、係合片２１や第２係合部５０の破損や白化を防止し得る。
【００４８】
又、当該収納容器１において、底部側壁４２の板状部５５には、補強リブ５７が、係合突起５６が形成された面の裏面側（即ち、収納容器１の外表面側）に突出形成されている。当該補強リブ５７によって板状部５５の剛性を高めることができるので、当該収納容器１は、側壁部材１０と底部側壁４２を互いに引き離すように力を加えた場合であっても、係合孔５１における板状部５５等に働く応力を分散することができ、第２係合部５０の破損や白化を防止し得る。
【００４９】
更に、当該収納容器１において、前記係合片２１には、補助リブ２４が、係合爪２２が形成された面の裏面側に突出形成され、側壁部材１０の下端面１２から前記係合片２１の先端に向かって延びている。更に、係合片２１における係合爪２２が形成された面であって、側壁部材１０の下端面１２から係合爪２２までの範囲は、平面状に形成されている。これにより、当該収納容器１は、側壁部材１０と底部側壁４２を互いに引き離すように力を加えた場合であっても、係合片２１の付け根に働く応力を分散することができ、係合片２１の破損や白化を防止し得る。
【００５０】
以上、実施形態に基づき本発明を説明したが、本発明は上述した実施形態に何ら限定されるものではなく、本発明の趣旨を逸脱しない範囲内で種々の改良変更が可能である。例えば、上述した実施形態においては、図１、図２に示すように、長手側壁部材１０Ａの両側に角部１１Ａを形成し、収納容器１における短手側の側壁の一部を有するように構成していたが、この態様に限定されるものではない。例えば、図１２に示すように、短手側壁部材１０Ｂの両側に角部１１Ａを形成し、収納容器１における長手側の側壁の一部を有するように構成してもよい。この構成によれば、短手側壁部材１０Ｂの両側に角部１１Ａが形成されている関係上、長手側壁部材１０Ａは、収納容器１の長辺寸法よりもやや短く形成される。従って、当該収納容器１によれば、収納容器１の長辺と同じ方向に沿わせれば、長手側壁部材１０Ａ及び短手側壁部材１０Ｂを、収納容器１内部に収納することができ（図１２参照）、収納容器１の構成部品を少ないスペースで保管・収納しておくことができる。
【００５１】
又、上述した実施形態においては、補強リブ５７は、図９等に示すように、板状部５５の一面において縦横に延びていたが、この態様に限定されるものではない。例えば、補強リブ５７が板状部５５において縦方向のみに延びていてもよいし、横方向のみに延びていてもよい。
【００５２】
又、上述した実施形態においては、係合片２１を含む第１係合部２０を、側壁部材１０に形成し、係合孔５１を含む第２係合部５０を、底部側壁４２に形成していたが、この態様に限定されるものではない。例えば、第１係合部２０を、底部側壁４２に形成し、第２係合部５０を、側壁部材１０に形成する態様であってもよい。
【符号の説明】
【００５３】
１    収納容器
１０  側壁部材
１２  下端面
２０  第１係合部
２１  係合片
２２  係合爪
２３  張出係合部
２４  補助リブ
２５  保護枠
４０  底部
４２  底部側壁
４４  上端面
５０  第２係合部
５１  係合孔
５５  板状部
５６  係合突起
５７  補強リブ
５８  開口部
【図１】
2015003738.tif 000003
【図２】
2015003738.tif 000004
【図３】
2015003738.tif 000005
【図４】
2015003738.tif 000006
【図５】
2015003738.tif 000007
【図６】
2015003738.tif 000008
【図７】
2015003738.tif 000009
【図８】
2015003738.tif 000010
【図９】
2015003738.tif 000011
【図１０】
2015003738.tif 000012
【図１１】
2015003738.tif 000013
【図１２】
2015003738.tif 000014
【図１３】
2015003738.tif 000015